Podtech/llm-jp-corpus-v4-ja_patent huggingface dataset:
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
仮想的な３次元空間における３次元イメージを実空間中に投影した場合に観察される映像を提示する光学透過型ＨＭＤに備えられた、当該光学透過型ＨＭＤを装着するユーザの視野を含む領域にある被写体を撮像する撮像素子が撮像した被写体をマーカとして、前記光学透過型ＨＭＤに提示させるＡＲ（Augmented Reality）イメージを生成するＡＲイメージ生成部と、
第１のマーカと第２のマーカとはともに、仮想的な３次元空間における位置、向き、または傾きが変化するものであり、第１のマーカに紐付けられた第１ＡＲイメージと、第２のマーカに紐付けられた第２ＡＲイメージとの間の、仮想的な３次元空間における近接度を取得する近接度取得部と、
前記近接度取得部が取得した近接度をもとに、第１ＡＲイメージまたは第２ＡＲイメージとの間に生じる相互作用を算出する相互作用演出部とを含み、
前記ＡＲイメージ生成部は、前記相互作用演出部が算出した相互作用に応じて、第１ＡＲイメージまたは第２ＡＲイメージの少なくともいずれか一方のイメージを変化させることを特徴とする映像処理装置。
【請求項２】
前記ＡＲイメージ生成部が生成するＡＲイメージそれぞれに付与される仮想的な物理特性を含む属性を管理する属性管理部をさらに含み、
前記ＡＲイメージ生成部は、前記属性が変化したときに生成するイメージを変化させることを特徴とする請求項１に記載の映像処理装置。
【請求項３】
前記属性管理部は、相互作用演出部が算出した相互作用に応じて第１ＡＲイメージまたは第２ＡＲイメージに付与れた属性を変化させることを特徴とする請求項２に記載の映像処理装置。
【請求項４】
前記属性管理部が管理する属性に含まれる物理特性は、前記仮想的な３次元空間におけるＡＲイメージの位置座標、速度、加速度、または質量のうち少なくともひとつを含み、
前記相互作用演出部は、前記近接度取得部が取得した近接度をもとに、第１ＡＲイメージの物理特性と第２ＡＲイメージの物理特性とを変化させることを特徴とする請求項２または３に記載の映像処理装置。
【請求項５】
前記属性管理部が管理する属性は、ＡＲイメージに反映させるべき視覚効果を示す情報を含むことを特徴とする請求項２から４のいずれかに記載の映像処理装置。
【請求項６】
仮想的な３次元空間における３次元イメージを実空間中に投影した場合に観察される映像を提示する光学透過型ＨＭＤと、当該光学透過型ＨＭＤを装着するユーザの視野を含む領域にある被写体を撮像する撮像素子とを備える立体映像観察デバイスに提示させる、前記撮像素子が撮像した被写体をマーカとするＡＲイメージを生成するステップと、
第１のマーカと第２のマーカとはともに、仮想的な３次元空間における位置、向き、または傾きが変化するものであり、第１のマーカに紐付けられた第１ＡＲイメージと、第２のマーカに紐付けられた第２ＡＲイメージとの間の、仮想的な３次元空間における近接度を取得するステップと、
取得した近接度をもとに、第１ＡＲイメージまたは第２ＡＲイメージとの間に生じる相互作用を算出するステップと、
算出した相互作用に応じて、第１ＡＲイメージまたは第２ＡＲイメージの少なくともいずれか一方のイメージを変化させるステップとをプロセッサに実行させることを特徴とする映像処理方法。
【請求項７】
仮想的な３次元空間における３次元イメージを実空間中に投影した場合に観察される映像を提示する光学透過型ＨＭＤと、当該光学透過型ＨＭＤを装着するユーザの視野を含む領域にある被写体を撮像する撮像素子とを備える立体映像観察デバイスに提示させる、前記撮像素子が撮像した被写体をマーカとするＡＲイメージを生成する機能と、
第１のマーカと第２のマーカとはともに、仮想的な３次元空間における位置、向き、または傾きが変化するものであり、第１のマーカに紐付けられた第１ＡＲイメージと、第２のマーカに紐付けられた第２ＡＲイメージとの間の、仮想的な３次元空間における近接度を取得する機能と、
取得した近接度をもとに、第１ＡＲイメージまたは第２ＡＲイメージとの間に生じる相互作用を算出する機能と、
算出した相互作用に応じて、第１ＡＲイメージまたは第２ＡＲイメージの少なくともいずれか一方のイメージを変化させる機能とをコンピュータに実現させることを特徴とするプログラム。
【請求項８】
仮想的な３次元空間における３次元イメージを実空間中に投影した場合に観察される映像を提示する光学透過型ＨＭＤと、
前記光学透過型ＨＭＤに備えられ、前記光学透過型ＨＭＤを装着するユーザの視野を含む領域にある被写体を撮像する撮像素子と、
前記撮像素子が撮像した被写体をマーカとして、前記光学透過型ＨＭＤに提示させるＡＲ（Augmented Reality）イメージを生成するＡＲイメージ生成部と、
第１のマーカと第２のマーカとはともに、仮想的な３次元空間における位置、向き、または傾きが変化するものであり、第１のマーカに紐付けられた第１ＡＲイメージと、第２のマーカに紐付けられた第２ＡＲイメージとの間の、仮想的な３次元空間における近接度を取得する近接度取得部と、
前記近接度取得部が取得した近接度をもとに、第１ＡＲイメージまたは第２ＡＲイメージとの間に生じる相互作用を算出する相互作用演出部とを含み、
前記ＡＲイメージ生成部は、前記相互作用演出部が算出した相互作用に応じて、第１ＡＲイメージまたは第２ＡＲイメージの少なくともいずれか一方のイメージを変化させることを特徴とする映像処理システム。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
画像内で指定された画像範囲内の主要オブジェクトと該主要オブジェクト以外の背景を領域分割する装置であって、
前記画像範囲内の各画素に付与する前記主要オブジェクトまたは前記背景を示す領域ラベルを更新しながら、該領域ラベルと前記各画素の画素値に基づき、前記主要オブジェクトらしさまたは背景らしさを示すデータ項と、隣接画素間の前記領域ラベルの滑らかさを示す平滑化項と、前記データ項または前記平滑化項の少なくともいずれかに前回の領域分割の結果に応じて算出され前記各画素の位置に応じた画素位置重み値を付加する画素位置重み関数とを含むエネルギー関数の最小化処理により、前記画像内で前記主要オブジェクトと前記背景を領域分割する領域分割手段と、
前記領域分割手段により前回領域分割された前記主要オブジェクトの領域が前記画像範囲内で占める割合が増加するほど、前記画像範囲の中央から前記画像範囲の境界部分に向かって前記画素位置重み値が減少する関数を算出し、該関数を前記領域分割手段における次回の領域分割のための前記画素位置重み関数として更新する画素位置重み関数更新手段と、
を備え、
前記領域分割手段および前記画素位置重み関数更新手段による処理を繰り返し実行する、
ことを特徴とする画像領域分割装置。
【請求項２】
前記画素位置重み関数は、前記領域分割手段により前回領域分割された前記主要オブジェクトの領域が前記画像範囲内で占める割合が増加するほど減少する特性を有する分散値を有し、前記画像範囲の中央から前記画像範囲の境界部分に向かって前記分散値に従ってガウス関数的に前記画素位置重み値が減少する関数である、
ことを特徴とする請求項１に記載の画像領域分割装置。
【請求項３】
前記画素位置重み関数更新手段は、前記分散値として、前記主要オブジェクトの領域が前記画像範囲の境界部分に接する割合が増加するほど減少する特性を有する分散値を算出する、
ことを特徴とする請求項２に記載の画像領域分割装置。
【請求項４】
前記画素位置重み関数更新手段は、
前記分散値として、前記主要オブジェクトの領域が前記画像範囲の垂直方向の境界部分に接する割合が増加するほど減少する特性を有する第１の分散値と、前記主要オブジェクトの領域が前記画像範囲の水平方向の境界部分に接する割合が増加するほど減少する特性を有する第２の分散値を算出し、
前記画像範囲の中央から前記画像範囲の水平方向の境界部分に向かって前記第１の分散値に従ってガウス関数的に前記画素位置重み値が減少し、前記画像範囲の中央から前記画像範囲の垂直方向の境界部分に向かって前記第２の分散値に従ってガウス関数的に前記画素位置重み値が減少する関数として前記画素位置重み関数を更新する、
ことを特徴とする請求項３に記載の画像領域分割装置。
【請求項５】
前記画素位置重み関数更新手段は、前記分散値として、前記主要オブジェクトの領域が前記画像範囲内で占める面積の割合が増加するほど減少する特性を有する分散値を算出する、
ことを特徴とする請求項２に記載の画像領域分割装置。
【請求項６】
前記領域分割手段は、Ｇｒａｐｈ  Ｃｕｔｓ法により前記エネルギー関数の最小化処理を実行する、
ことを特徴とする請求項１ないし５のいずれかに記載の画像領域分割装置。
【請求項７】
画像内で指定された画像範囲内の主要オブジェクトと該主要オブジェクト以外の背景を領域分割する方法であって、
前記画像範囲内の各画素に付与する前記主要オブジェクトまたは前記背景を示す領域ラベルを更新しながら、該領域ラベルと前記各画素の画素値に基づき、前記主要オブジェクトらしさまたは背景らしさを示すデータ項と、隣接画素間の前記領域ラベルの滑らかさを示す平滑化項と、前記データ項または前記平滑化項の少なくともいずれかに前回の領域分割の結果に応じて算出され前記各画素の位置に応じた画素位置重み値を付加する画素位置重み関数とを含むエネルギー関数の最小化処理により、前記画像内で前記主要オブジェクトと前記背景を領域分割する領域分割ステップと、
前記領域分割ステップにより前回領域分割された前記主要オブジェクトの領域が前記画像範囲内で占める割合が増加するほど、前記画像範囲の中央から前記画像範囲の境界部分に向かって前記画素位置重み値が減少する関数を算出し、該関数を前記領域分割ステップにおける次回の領域分割のための前記画素位置重み関数として更新する画素位置重み関数更新ステップと、
を繰り返し実行することを特徴とする画像領域分割方法。
【請求項８】
画像内で指定された画像範囲内の主要オブジェクトと該主要オブジェクト以外の背景を領域分割する処理を実行するコンピュータに、
前記画像範囲内の各画素に付与する前記主要オブジェクトまたは前記背景を示す領域ラベルを更新しながら、該領域ラベルと前記各画素の画素値に基づき、前記主要オブジェクトらしさまたは背景らしさを示すデータ項と、隣接画素間の前記領域ラベルの滑らかさを示す平滑化項と、前記データ項または前記平滑化項の少なくともいずれかに前回の領域分割の結果に応じて算出され前記各画素の位置に応じた画素位置重み値を付加する画素位置重み関数とを含むエネルギー関数の最小化処理により、前記画像内で前記主要オブジェクトと前記背景を領域分割する領域分割ステップと、
前記領域分割ステップにより前回領域分割された前記主要オブジェクトの領域が前記画像範囲内で占める割合が増加するほど、前記画像範囲の中央から前記画像範囲の境界部分に向かって前記画素位置重み値が減少する関数を算出し、該関数を前記領域分割ステップにおける次回の領域分割のための前記画素位置重み関数として更新する画素位置重み関数更新ステップと、
を繰り返し実行させるためのプログラム。
【請求項９】
画像内で指定された画像範囲内の主要オブジェクトと該主要オブジェクト以外の背景をコスト関数最適化により領域分割する方法であって、
前記画像内で、前記指定された画像範囲内の前記主要オブジェクトの領域を設定する第１ステップと、
コスト関数最適化の繰り返しにより、前記の主要オブジェクトの領域を切り抜く際に、直前の切り抜き結果と前記主要オブジェクトの領域の位置関係に応じて、次回のコスト関数最適化のデータ項・平滑化項への重み付けを適応的に変化させる第２ステップと
を繰り返し実行することを特徴とする画像領域分割方法。
【請求項１０】
前記第１ステップにおける前記主要オブジェクトの領域は矩形枠で表されることを特徴とする請求項９記載の画像領域分割方法。
【請求項１１】
前記第２ステップは、前記直前の切り抜き結果と前記主要オブジェクトの領域の前記矩形枠の接触状態に応じて、次回のコスト関数最適化のデータ項・平滑化項への重み付けを適応的に変化させることを特徴とする請求項１０記載の画像領域分割方法。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
画像内で指定された画像範囲内の主要オブジェクトと該主要オブジェクト以外の背景を領域分割する装置であって、
前記画像内で、前記指定された画像範囲を、該画像範囲の周囲に余白を残してトリミング処理するトリミング処理手段と、
前記トリミング処理された画像のサイズが所定の画像サイズと比較して大きい場合に前記トリミング処理された画像のサイズを前記所定の画像サイズに縮小処理して分割対象画像として出力し、前記トリミング処理された画像のサイズが前記所定の画像サイズと比較して小さい場合に前記トリミング処理された画像を前記分割対象画像として出力する画像サイズ調整手段と、
前記分割対象画像内の各画素に付与する前記主要オブジェクトまたは前記背景を示す領域ラベル値を更新しながら、該領域ラベル値と前記各画素の画素値とに基づいて、前記主要オブジェクトらしさまたは前記背景らしさと隣接画素間の前記画素値の変化を評価するエネルギー関数の最小化処理により、前記分割対象画像内で前記主要オブジェクトと前記背景を領域分割する領域分割手段と、
を備えることを特徴とする最適画像サイズによる画像領域分割装置。
【請求項２】
前記トリミング処理において、前記分割対象画像上で前記画像範囲の周囲に所定のサイズの余白が残るように、前記残す余白を決定する、
ことを特徴とする請求項１に記載の最適画像サイズによる画像領域分割装置。
【請求項３】
前記領域分割手段は、Ｇｒａｐｈ  Ｃｕｔｓ法により前記エネルギー関数の最小化処理を実行する、
ことを特徴とする請求項１または２のいずれかに記載の最適画像サイズによる画像領域分割装置。
【請求項４】
画像内で指定された画像範囲内の主要オブジェクトと該主要オブジェクト以外の背景を領域分割する方法であって、
前記画像内で、前記指定された画像範囲を、該画像範囲の周囲に余白を残してトリミング処理するトリミング処理ステップと、
前記トリミング処理された画像のサイズが所定の画像サイズと比較して大きい場合に前記トリミング処理された画像のサイズを前記所定の画像サイズに縮小処理して分割対象画像として出力し、前記トリミング処理された画像のサイズが前記所定の画像サイズと比較して小さい場合に前記トリミング処理された画像を前記分割対象画像として出力する画像サイズ調整ステップと、
前記分割対象画像内の各画素に付与する前記主要オブジェクトまたは前記背景を示す領域ラベル値を更新しながら、該領域ラベル値と前記各画素の画素値とに基づいて、前記主要オブジェクトらしさまたは前記背景らしさと隣接画素間の前記画素値の変化を評価するエネルギー関数の最小化処理により、前記分割対象画像内で前記主要オブジェクトと前記背景を領域分割する領域分割ステップと、
を備えることを特徴とする最適画像サイズによる画像領域分割方法。
【請求項５】
画像内で指定された画像範囲内の主要オブジェクトと該主要オブジェクト以外の背景を領域分割するコンピュータに、
前記画像内で、前記指定された画像範囲を、該画像範囲の周囲に余白を残してトリミング処理するトリミング処理ステップと、
前記トリミング処理された画像のサイズが所定の画像サイズと比較して大きい場合に前記トリミング処理された画像のサイズを前記所定の画像サイズに縮小処理して分割対象画像として出力し、前記トリミング処理された画像のサイズが前記所定の画像サイズと比較して小さい場合に前記トリミング処理された画像を前記分割対象画像として出力する画像サイズ調整ステップと、
前記分割対象画像内の各画素に付与する前記主要オブジェクトまたは前記背景を示す領域ラベル値を更新しながら、該領域ラベル値と前記各画素の画素値とに基づいて、前記主要オブジェクトらしさまたは前記背景らしさと隣接画素間の前記画素値の変化を評価するエネルギー関数の最小化処理により、前記分割対象画像内で前記主要オブジェクトと前記背景を領域分割する領域分割ステップと、
を実行させるためのプログラム。
【請求項６】
対象画像内で指定された画像範囲内の主要オブジェクトと該主要オブジェクト以外をコスト関数最適化により領域分割する方法であって、
前記対象画像内で、前記指定された画像範囲を、該画像範囲の周囲に余白を残してトリミング処理する第１ステップと、
前記トリミング処理された画像のサイズが所定のサイズと比較して大きい場合は、前記トリミング処理された画像を縮小処理して分割対象画像として出力し、前記トリミング処理された画像のサイズが所定のサイズと比較して小さい場合は、前記トリミングされた画像を分割対象画像として出力する第２ステップと
を実行することを特徴とする画像領域分割方法。
【請求項７】
前記第１ステップにおける指定された画像範囲は矩形であることを特徴とする請求項６記載の画像領域分割方法。
【請求項８】
対象画像内で指定された画像範囲内の主要オブジェクトと該主要オブジェクト以外をコスト関数最適化により領域分割する方法であって、
前記対象画像内で、前記指定された画像範囲を、該画像範囲の周囲に余白を残してトリミング処理する第１ステップと、
前記トリミング処理された画像のサイズと予め設定されたサイズに応じて、該トリミング処理された画像を縮小するかしないかを決定する第２ステップと
を実行することを特徴とする画像領域分割方法。
【請求項９】
前記余白は、
前記主要オブジェクトをコスト関数最適化により切り出す際の特徴量として、色の勾配のヒストグラム情報を用いる際の、前記画像範囲の対象画素の周囲の領域であり、該余白のサイズは、後段の画像認識のために用いるＳＩＦＴ（Ｓｃａｌｅ  Ｉｎｖａｒｉａｎｔ  Ｆｅａｔｕｒｅ  Ｔｒａｎｓｆｏｒｍ）の特徴量の半径サイズにより決まることを特徴とする請求項８記載の画像領域分割方法。
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
車両に搭載される電子機器（１０）であって、
車両前方領域を撮影し、その撮影画像を表す画像データを生成するカメラ（１１）と、
前記カメラにより生成された画像データを解析し、消失点位置を学習する学習手段（１７，ＰＲ１）と、
前記車両が備える慣性センサ（４０）の出力に基づき、前記学習手段による前記消失点位置の学習動作のオン／オフを制御する制御手段（１７，ＰＲ２，Ｓ１００〜Ｓ１９０，Ｓ２００〜Ｓ２９０，Ｓ３００〜Ｓ３９０，Ｓ４００〜Ｓ４９０）と、
を備え、
前記制御手段（Ｓ１００〜Ｓ１９０，Ｓ２００〜Ｓ２９０，Ｓ３００〜Ｓ３９０）は、前記車両が備える車輪速センサ及び前記慣性センサの出力に基づき、前記学習手段による前記消失点位置の学習動作のオン／オフを制御し、
前記慣性センサは、加速度センサであり、
前記制御手段（Ｓ１００〜Ｓ１９０，Ｓ２００〜Ｓ２９０）は、前記車輪速センサの出力から特定される前記車両の速度の偏差から算出した前記車両の加速度と前記加速度センサの出力から特定される前記車両の加速度との誤差、又は、前記車輪速センサの出力から特定される前記車両の速度と前記加速度センサの出力から特定される前記車両の加速度の積分により算出した前記車両の速度との誤差に基づき、前記誤差が基準未満であることを条件に、前記学習動作をオフからオンに切り替えることを特徴とする電子機器。
【請求項２】
車両に搭載される電子機器（１０）であって、
車両前方領域を撮影し、その撮影画像を表す画像データを生成するカメラ（１１）と、
前記カメラにより生成された画像データを解析し、消失点位置を学習する学習手段（１７，ＰＲ１）と、
前記車両が備える慣性センサ（４０）の出力に基づき、前記学習手段による前記消失点位置の学習動作のオン／オフを制御する制御手段（１７，ＰＲ２，Ｓ１００〜Ｓ１９０，Ｓ２００〜Ｓ２９０，Ｓ３００〜Ｓ３９０，Ｓ４００〜Ｓ４９０）と、
を備え、
前記制御手段（Ｓ１００〜Ｓ１９０，Ｓ２００〜Ｓ２９０，Ｓ３００〜Ｓ３９０）は、前記車両が備える車輪速センサ及び前記慣性センサの出力に基づき、前記学習手段による前記消失点位置の学習動作のオン／オフを制御し、
前記慣性センサは、加速度センサであり、
前記制御手段（Ｓ３００〜Ｓ３９０）は、前記車輪速センサの出力から特定される前記車両の速度が基準速度を超え、且つ、前記加速度センサの出力から特定される前記車両の加速度が基準加速度を超えたことを条件に、前記学習動作をオフからオンに切り替えることを特徴とする電子機器。
【請求項３】
前記制御手段は、前記慣性センサの出力に基づき、前記車両が道路上を走行している状態であるか否かを判定し、前記車両が道路上を走行している状態であると判定したことを条件に、前記学習動作をオフからオンに切り替えること
を特徴とする請求項１又は請求項２に記載の電子機器。
【請求項４】
前記制御手段は、前記車輪速センサの出力から特定される前記車両の速度が基準速度を超えていること、且つ、前記誤差が基準未満であることを条件に、前記学習動作をオフからオンに切り替えること
を特徴とする請求項２記載の電子機器。
【請求項５】
前記制御手段は、前記学習手段による消失点位置の学習動作をオンに設定した後、前記車両の速度が、前記基準速度又は前記基準速度より低い速度によって予め定められた学習動作の禁止速度以下となると、前記学習手段による学習動作をオフに切り替えること
を特徴とする請求項２〜請求項４のいずれか一項記載の電子機器。
【請求項６】
前記学習手段は、前記画像データに映る道路区画線の推定結果に基づいて、前記消失点位置を学習すること
を特徴とする請求項１〜請求項５のいずれか一項記載の電子機器。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
多孔質のシリコーンゴム弾性層を有する弾性部材の製造方法であって、
（１）分子鎖両末端がアルケニル基で封鎖され、かつ分子鎖側鎖にアルケニル基を有さないポリジオルガノシロキサン、分子鎖側鎖にアルケニル基を２個以上有するポリジオルガノシロキサン、１分子中に少なくとも２個のケイ素原子結合水素原子を有するポリオルガノシロキサン、水、無機系増粘剤、および、乳化剤を含む、乳化状態のシロキサン混合物を型のキャビティに注入する工程、
（２）該キャビティに注入した該乳化状態のシロキサン混合物を、水の沸点より低い温度で架橋させ、含水状態のシリコーンゴムを形成する工程、および
（３）該含水状態のシリコーンゴムを、水の沸点より高い温度に加熱して、水を除去して多孔質のシリコーンゴム弾性層を形成する工程、を有し、
該工程（１）は、該キャビティへの注入の前に、該乳化状態のシロキサン混合物に対して２００Ｐａ以上のせん断応力を付与する工程を含むことを特徴とする弾性部材の製造方法。
【請求項２】
前記工程（１）が、該キャビティへの注入の前に、該乳化状態のシロキサン混合物に対して２８０Ｐａ以上、４４０Ｐａ以下のせん断応力を付与する工程を含む請求項１に記載の弾性部材の製造方法。
【請求項３】
多孔質のシリコーンゴム弾性層を表面に有する定着装置用の加圧部材であって、
該シリコーンゴム弾性層は、
該シリコーンゴム弾性層から切り出した、横５ｍｍ、縦５ｍｍ、厚み３ｍｍのサンプルについて、温度２００℃、振幅２μｍ、振動数１０Ｈｚおよび荷重３５０ｇでの動的粘弾性を測定したときの、ｔａｎδが０．０８以上であることを特徴とする加圧部材。
【請求項４】
請求項３に記載の加圧部材と、該加圧部材に対向して配置されてなる加熱部材とを有することを特徴とする電子写真装置の定着装置。
【手続補正２】
【補正対象書類名】明細書
【補正対象項目名】発明の名称
【補正方法】変更
【補正の内容】
【発明の名称】弾性部材の製造方法、加圧部材、および電子写真装置の定着装置
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
複数の鍵夫々に対応して設けられ、当該鍵に対する押離鍵操作に応じてオンオフ状態が変化する接点部と、
前記接点部毎に設けられ、３以上の入出力用端子を有するとともに、いずれかひとつの入出力端子に前記接点部が接続された素子と、
前記素子夫々の残りの入出力用端子の一方に対してスイッチ信号を供給する第１の入力端子及び他方の入出力用素子に対して制御信号を供給する第２の入力端子とを有し、かつ前記供給されたスイッチ信号を前記制御信号にて時分割に前記接点部に供給することにより、前記接点部夫々のオンオフ状態を表わす信号を出力する出力端子を有する配線部と、
を備えたことを特徴とする鍵盤回路。
【請求項２】
前記接点部は、Ｎ個の鍵毎に、Ｍ種類設けられており、
前記素子は、入出力用端子として３端子が設けられており、
前記素子の３端子のうち、第１の端子に、前記Ｍ種類の中から検出対象の前記接点部の種類を特定する第１の制御信号が供給され、第２の端子に、前記Ｎ個の鍵の中から検出対象の前記接点部を有する鍵を特定する第２の制御信号が供給され、第３の端子に前記接点部が接続されており、
Ｍ種類の前記第１の制御信号の状態、Ｐ種類の前記第２の制御信号の状態、及び前記第３の端子に前記素子を介して供給される｛（Ｎ×Ｍ）／（Ｍ×Ｐ）｝種類のスキャン信号の組み合わせにより、Ｎ×Ｍ個の前記接点部のオンオフ状態が検出される、
ことを特徴とする請求項１に記載の鍵盤回路。
【請求項３】
前記複数の接点部毎に設けられる前記素子は、２入力制御が可能なトランジスタである、
ことを特徴とする請求項１又は２に記載の鍵盤回路。
【請求項４】
複数の鍵夫々に対応して設けられ、当該鍵に対する押離鍵操作に応じてオンオフ状態が変化する接点部と、前記接点部毎に設けられ、３以上の入出力用端子を有する素子と、を有し、前記各素子のいずれかひとつの入出力端子に前記接点部を接続した鍵盤回路の検出方法において、
前記素子夫々の残りの入出力用端子の一方に接続された第１の入力端子にスイッチ信号を入力し、
他方の入出力用素子に接続された第２の入力端子に制御信号を入力し、
前記入力されたスイッチ信号を前記制御信号にて時分割に前記接点部に供給することにより、前記接点部夫々のオンオフ状態を表わす信号を出力端子に出力する、
ことを特徴とする鍵盤回路の検出方法。
【手続補正２】
【補正対象書類名】明細書
【補正対象項目名】００１１
【補正方法】変更
【補正の内容】
【００１１】
上記目的を達成するため、本発明の一態様の鍵盤回路は、
複数の鍵夫々に対応して設けられ、当該鍵に対する押離鍵操作に応じてオンオフ状態が変化する接点部と、
前記接点部毎に設けられ、３以上の入出力用端子を有するとともに、いずれかひとつの入出力端子に前記接点部が接続された素子と、
前記素子夫々の残りの入出力用端子の一方に対してスイッチ信号を供給する第１の入力端子及び他方の入出力用素子に対して制御信号を供給する第２の入力端子とを有し、かつ前記供給されたスイッチ信号を前記制御信号にて時分割に前記接点部に供給することにより、前記接点部夫々のオンオフ状態を表わす信号を出力する出力端子を有する配線部と、
を備えたことを特徴とする。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
照射光を射出する光源部と、
被駆動体の位置情報を示し、第１の光量と前記第１の光量を反転させた第２の光量とを前記照射光に生じさせるパターンを有する符号板と、
前記パターンを介して前記照射光に生じた前記第１の光量に応じて、第１の検出信号を出力する第１の受光センサ部と、
前記パターンを介して前記照射光に生じた前記第２の光量に応じて、第２の検出信号を出力する第２の受光センサ部と、
前記第１の検出信号及び前記第２の検出信号を差動信号として、前記位置情報に対応した二値化信号を生成する二値化部と、
前記二値化信号に基づいて、前記位置情報を検出する位置検出部と
を備えることを特徴とするエンコーダ。
【請求項２】
前記パターンは、
前記照射光を透過する透過部と、前記照射光を反射する反射部とを含んで形成され、
前記第１の受光センサ部は、前記パターンを透過した光に生じる前記第１の光量に応じて、前記第１の検出信号を出力し、
前記第２の受光センサ部は、前記パターンを反射した光に生じる前記第２の光量に応じて、前記第２の検出信号を出力する
ことを特徴とする請求項１に記載のエンコーダ。
【請求項３】
前記パターンは、
前記透過部と前記反射部との組み合わせにより前記位置情報を示すように形成されている
ことを特徴とする請求項２に記載のエンコーダ。
【請求項４】
前記パターンは、
前記透過部と、前記透過部より透過率の低い非透過部との組み合わせにより形成されている第１パターンと、
前記反射部と、前記反射部より反射率の低い非反射部との組み合わせにより形成されている第２パターンと
を有する、
ことを特徴とする請求項２に記載のエンコーダ。
【請求項５】
前記パターンは、
前記第１の光量を生じさせる第１パターンと、
前記第１パターンの反転パターンにより形成され、前記第２の光量を生じさせる第２パターンと
を有し、
前記第１の受光センサ部は、前記第１パターンに基づく前記第１の光量に応じて、前記第１の検出信号を出力し、
前記第２の受光センサ部は、前記第２パターンに基づく前記第２の光量に応じて、前記第２の検出信号を出力する
ことを特徴とする請求項１に記載のエンコーダ。
【請求項６】
前記光源部は、前記パターンに対して、前記位置情報の検出方向である前記パターンの長手方向とは異なる前記パターンの短手方向に離れた位置に配置され、
前記第１の受光センサ部及び前記第２の受光センサ部のそれぞれは、
前記光源部から射出された前記照射光が、前記パターンを介して入射される位置に配置されている
ことを特徴とする請求項１から請求項５のいずれか一項に記載のエンコーダ。
【請求項７】
前記光源部と前記第２の受光センサ部とが同一の基板に実装されている
ことを特徴とする請求項１から請求項６のいずれか一項に記載のエンコーダ。
【請求項８】
前記第１の受光センサ部は前記光源部と対向させるように前記パターンを挟んで配置されている
ことを特徴とする請求項１から請求項７のいずれか一項に記載のエンコーダ。
【請求項９】
被駆動体の位置情報を検出するエンコーダであって、
照射光を射出する光源部と、
前記照射光を透過する透過部と前記照射光を反射する反射部とを有する符号板と、
前記透過部を介した第１の光を受光する第１の受光センサ部と、
前記反射部を介した第２の光を受光する第２の受光センサ部と、
前記第１の光の変化に基づいて前記第１の受光センサ部から出力された第１の検出信号と前記第２の光の変化に基づいて前記第２の受光センサ部から出力された第２の検出信号とを差動信号として二値化信号を生成する二値化部と、
前記二値化信号に基づいて、前記位置情報を検出する位置検出部と
を備えることを特徴とするエンコーダ。
【請求項１０】
被駆動体の位置情報を示し、第１の光量と前記第１の光量を反転させた第２の光量とを光源部から射出される照射光に生じさせるパターン
を備えることを特徴とする符号板。
【請求項１１】
前記パターンは、
前記照射光を透過する透過部と、前記照射光を反射する反射部とを含んで形成され、前記パターンを透過した光に前記第１の光量を生じさせるとともに、前記パターンを反射した光に前記第２の光量を生じさせる
ことを特徴とする請求項１０に記載の符号板。
【請求項１２】
前記パターンは、
前記透過部と前記反射部との組み合わせにより前記位置情報を示すように形成されている
ことを特徴とする請求項１１に記載の符号板。
【請求項１３】
前記パターンは、
前記透過部と、前記透過部より透過率の低い非透過部との組み合わせにより形成され、前記第１の光量を生じさせる第１パターンと、
前記反射部と、前記反射部より反射率の低い非反射部との組み合わせにより形成され、前記第２の光量を生じさせる第２パターンと
を備えることを特徴とする請求項１１に記載の符号板。
【請求項１４】
前記パターンは、
前記第１の光量を生じさせる第１パターンと、
前記第１パターンの反転パターンにより形成され、前記第２の光量を生じさせる第２パターンと
を備えることを特徴とする請求項１０に記載の符号板。
【請求項１５】
被駆動体と、
前記被駆動体を移動させる駆動部と、
前記被駆動体に固定され、前記被駆動体の位置情報を検出する請求項１から請求項９のいずれか一項に記載のエンコーダと
を備えることを駆動装置。
【請求項１６】
請求項１５に記載の駆動装置を備えることを特徴とするロボット装置。
【手続補正２】
【補正対象書類名】明細書
【補正対象項目名】０００６
【補正方法】変更
【補正の内容】
【０００６】
上記問題を解決するために、本発明の一実施形態は、照射光を射出する光源部と、被駆動体の位置情報を示し、第１の光量と前記第１の光量を反転させた第２の光量とを前記照射光に生じさせるパターンを有する符号板と、前記パターンを介して前記照射光に生じた前記第１の光量に応じて、第１の検出信号を出力する第１の受光センサ部と、前記パターンを介して前記照射光に生じた前記第２の光量に応じて、第２の検出信号を出力する第２の受光センサ部と、前記第１の検出信号及び前記第２の検出信号を差動信号として、前記位置情報に対応した二値化信号を生成する二値化部と、前記二値化信号に基づいて、前記位置情報を検出する位置検出部とを備えることを特徴とするエンコーダである。
また、本発明の一実施形態は、被駆動体の位置情報を検出するエンコーダであって、照射光を射出する光源部と、前記照射光を透過する透過部と前記照射光を反射する反射部とを有する符号板と、前記透過部を介した第１の光を受光する第１の受光センサ部と、前記反射部を介した第２の光を受光する第２の受光センサ部と、前記第１の光の変化に基づいて前記第１の受光センサ部から出力された第１の検出信号と前記第２の光の変化に基づいて前記第２の受光センサ部から出力された第２の検出信号とを差動信号として二値化信号を生成する二値化部と、前記二値化信号に基づいて、前記位置情報を検出する位置検出部とを備えることを特徴とするエンコーダである。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
センサ素子と、
前記センサ素子と電気的に接合される第１の接合面と、有機絶縁体を含み電子部品が埋設された基板本体と、前記第１の接合面の変形を規制するための規制部と、を有する配線基板と
を具備するセンサデバイス。
【請求項２】
請求項１に記載のセンサデバイスであって、
前記第１の接合面は、前記基板本体に配置され、
前記規制部は、前記基板本体に埋設されたコア部を含む
センサデバイス。
【請求項３】
請求項２に記載のセンサデバイスであって、
前記コア部は、前記電子部品を取り囲んで環状に配置される
センサデバイス。
【請求項４】
請求項３に記載のセンサデバイスであって、
前記配線基板は、前記第１の接合面と対向する第２の接合面をさらに有し、
前記基板本体は、
前記第１の接合面側に配置される第１の配線層と、
前記第２の接合面側に配置され前記コア部及び前記電子部品を挟んで前記第１の配線層と対向する第２の配線層と、をさらに有する
センサデバイス。
【請求項５】
請求項２から４のうちのいずれか１項に記載のセンサデバイスであって、
前記第１の接合面上に配置され、前記センサ素子を被覆するシールド部をさらに具備する
センサデバイス。
【請求項６】
請求項５に記載のセンサデバイスであって、
前記規制部は、前記シールド部と前記コア部とを接合する第１の接合部をさらに有する
センサデバイス。
【請求項７】
請求項６に記載のセンサデバイスであって、
前記シールド部は、前記センサ素子との線膨張率の差の絶対値が、前記有機絶縁体と前記センサ素子との線膨張率の差の絶対値よりも小さい
センサデバイス。
【請求項８】
請求項２から７のうちのいずれか１項に記載のセンサデバイスであって、
前記コア部は、前記センサ素子との線膨張率の差の絶対値が、前記有機絶縁体と前記センサ素子との線膨張率の差の絶対値よりも小さい
センサデバイス。
【請求項９】
請求項１に記載のセンサデバイスであって、
前記規制部は、前記センサ素子と前記基板本体との間に配置される無機絶縁体製の基材を含み、
前記第１の接合面は、前記基材に配置される
センサデバイス。
【請求項１０】
請求項９に記載のセンサデバイスであって、
前記規制部は、前記基板本体に埋設されたコア部をさらに含む
センサデバイス。
【請求項１１】
請求項１０に記載のセンサデバイスであって、
前記規制部は、前記基材と前記コア部とを接続する第２の接合部をさらに含む
センサデバイス。
【請求項１２】
請求項９から１１のうちのいずれか１項に記載のセンサデバイスであって、
前記基材は、前記基板本体に実装され、
前記配線基板は、前記基材と前記基板本体との間に充填される接着層をさらに有する
センサデバイス。
【請求項１３】
請求項９から１２のうちのいずれか１項に記載のセンサデバイスであって、
前記基材は、前記第１の接合面と対向して配置され、前記電子部品と電気的に接合される第３の接合面をさらに有する
センサデバイス。
【請求項１４】
請求項９から１３のうちのいずれか１項に記載のセンサデバイスであって、
前記配線基板に配置され前記センサ素子を被覆するシールド部をさらに具備する
センサデバイス。
【請求項１５】
請求項１４に記載のセンサデバイスであって、
前記シールド部は、前記第１の接合面上に配置される
センサデバイス。
【請求項１６】
請求項１５に記載のセンサデバイスであって、
前記基板本体は、前記基材と対向する第４の接合面を有し、
前記シールド部は、前記第４の接合面上に配置され、前記基材と前記センサ素子とを被覆する
センサデバイス。
【請求項１７】
請求項９から１６のうちのいずれか１項に記載のセンサデバイスであって、
前記基板本体は、前記基材よりも縦弾性係数が小さい
センサデバイス。
【請求項１８】
請求項１から１７のうちのいずれか１項に記載のセンサデバイスであって、
前記センサ素子は、前記第１の接合面を挟んで前記電子部品と対向する
センサデバイス。
【請求項１９】
請求項１から１８のうちのいずれか１項に記載のセンサデバイスであって、
前記センサ素子は、ジャイロセンサである
センサデバイス。
【手続補正書】
【提出日】平成27年4月24日(2015.4.24)
【手続補正１】
【補正対象書類名】明細書
【補正対象項目名】０００７
【補正方法】変更
【補正の内容】
【０００７】
本発明に係るレンズ鏡筒は、光軸方向において移動可能なレンズユニットを備え、前記レンズユニットは、レンズと、前記レンズを保持する保持部材と、前記電子部品とを有するレンズ鏡筒であって、前記電子部品と電気的に接続されるフレキシブルプリント基板を備え、前記フレキシブルプリント基板は、前記レンズの周囲に配置される湾曲部を有し、前記湾曲部は、一端が前記保持部材に保持されると共に他端が屈曲部となって前記光軸方向と略直交するように配置される第１の湾曲部と、一端が前記屈曲部となって前記第１の湾曲部とつながると共に他端が前記レンズ鏡筒の内部において前記レンズユニット以外の部位に固定され、前記光軸方向と略直交して前記第１の湾曲部と対向するように配置される第２の湾曲部と、を有し、前記レンズユニットが前記光軸方向において移動する際に、前記レンズユニット以外の前記部位に対する前記レンズユニットの移動量が前記屈曲部の屈曲角度が変わることによって吸収されることを特徴とする。
【手続補正２】
【補正対象書類名】明細書
【補正対象項目名】００３０
【補正方法】変更
【補正の内容】
【００３０】
３群保持部材軸部３２ｂから３群駆動部材３５を繰り出すとき、制御基板（不図示）から鏡筒ＦＰＣ５４（図３（ａ）参照）及び３群ＦＰＣ３４を介して、３群駆動モータ３３に電力が供給される。これにより３群駆動モータ３３が駆動すると、３群駆動モータネジ部３３ａが回転駆動する。３群駆動モータネジ部３３ａの回転駆動力は、３群駆動ラック３６を介して３群駆動部材３５に伝達され、３群駆動部材３５を光軸方向に移動させる。こうして、３群駆動部材３５を光軸方向で移動させることにより（被写体側へ進出させ、或いは、被写体側から退避させることにより）、フォーカス動作が行われる。
【手続補正３】
【補正対象書類名】特許請求の範囲
【補正対象項目名】全文
【補正方法】変更
【補正の内容】
【特許請求の範囲】
【請求項１】
光軸方向において移動可能なレンズユニットを備え、
前記レンズユニットは、レンズと、前記レンズを保持する保持部材と、前記電子部品とを有するレンズ鏡筒であって、
前記電子部品と電気的に接続されるフレキシブルプリント基板を備え、
前記フレキシブルプリント基板は、前記レンズの周囲に配置される湾曲部を有し、
前記湾曲部は、
一端が前記保持部材に保持されると共に他端が屈曲部となって前記光軸方向と略直交するように配置される第１の湾曲部と、
一端が前記屈曲部となって前記第１の湾曲部とつながると共に他端が前記レンズ鏡筒の内部において前記レンズユニット以外の部位に固定され、前記光軸方向と略直交して前記第１の湾曲部と対向するように配置される第２の湾曲部と、を有し、
前記レンズユニットが前記光軸方向において移動する際に、前記レンズユニット以外の前記部位に対する前記レンズユニットの移動量が前記屈曲部の屈曲角度が変わることによって吸収されることを特徴とするレンズ鏡筒。
【請求項２】
前記フレキシブルプリント基板の前記湾曲部は、一定の間隔で分離して設けられた配線補強部を有し、
前記配線補強部の分離領域に前記屈曲部が設けられていることを特徴とする請求項１記載のレンズ鏡筒。
【請求項３】
前記配線補強部は、前記湾曲部の内周側と外周側とにおいて前記第１の湾曲部と前記第２の湾曲部のそれぞれに設けられていることを特徴とする請求項２に記載のレンズ鏡筒。
【請求項４】
前記屈曲部の近傍に前記第１の湾曲部と前記第２の湾曲部とを接着する接着部材が設けられていることを特徴とする請求項１乃至３のいずれか１項に記載のレンズ鏡筒。
【請求項５】
前記第１の湾曲部と前記第２の湾曲部にはそれぞれ、前記屈曲部の近傍において前記光軸方向に貫通する穴部が設けられ、
前記保持部材は、前記光軸方向に突出する突起部を備え、
前記第１の湾曲部と前記第２の湾曲部は、前記第１の湾曲部と前記第２の湾曲部のそれぞれに設けられた前記穴部が前記突起部に圧入されることにより、前記保持部材に保持されていることを特徴とする請求項乃至３のいずれか１項に記載のレンズ鏡筒。
【請求項６】
前記屈曲部の近傍に前記第１の湾曲部と前記第２の湾曲部とを接着する接着部材が設けられ、前記突起部が前記接着部材を貫通していることを特徴とする請求項５に記載のレンズ鏡筒。
【請求項７】
請求項１乃至６のいずれか１項に記載のレンズ鏡筒を備えることを特徴とする撮像装置。
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
荷電粒子により加工又は観察する試料を載置した冷却試料台を装着する冷却試料台支持台と、
冷却源から伝達された熱を前記冷却試料台支持台に伝達すると共に、前記試料の向きの変化に応じて変形する第１の熱伝導部材と、
前記冷却源の熱を前記第１の熱伝導部材に伝達する第２の熱伝導部材と、
先端部が前記冷却試料台支持台に固定されると共に、前記第１及び前記第２の熱伝導部材を内空間に可動状態で収容する第１の筒部材と、
前記第１の筒部材を回動可能に取り付けると共に、前記冷却源を収容する冷却源容器を着脱可能に装着する冷却源容器装着部と
を有する試料冷却ホルダー。
【請求項２】
請求項１に記載の試料冷却ホルダーにおいて、
前記第１の筒部材を内側に収容する第２の筒部材と、
前記第１の筒部材の先端に配置され、前記第１の筒部材の外表面に沿って先端方向にスライドされた前記第２の筒部材の先端側端面と接触して密閉空間を生成するホルダー先端シールドと
を有することを特徴とする試料冷却ホルダー。
【請求項３】
請求項２に記載の試料冷却用ホルダーにおいて、
前記第１の筒部材には、前記密閉空間を真空排気する際に使用する真空排気口を有する
ことを特徴とする試料冷却用ホルダー。
【請求項４】
請求項２に記載の試料冷却用ホルダーにおいて、
前記ホルダー先端シールドは、真空遮断用パッキンである
ことを特徴とする試料冷却用ホルダー。
【請求項５】
請求項２に記載の試料冷却用ホルダーにおいて、
前記ホルダー先端シールドは、耐熱性を有する樹脂製部材である
ことを特徴とする試料冷却用ホルダー。
【請求項６】
請求項１に記載の試料冷却ホルダーにおいて、
前記冷却試料台は、マイナス形状のネジ溝の両端がネジ頭の端部に達しない形状の固定ネジにより前記冷却試料台支持台に装着される
ことを特徴とする試料冷却用ホルダー。
【請求項７】
請求項１に記載の試料冷却ホルダーにおいて、
前記冷却試料台支持台は、点接触により前記第１の筒部材に固定される
ことを特徴とする試料冷却用ホルダー。
【請求項８】
少なくとも請求項１に記載の試料冷却ホルダーを構成する前記第２の熱伝導部材の一端側を差し込む開口とを有し、外部から導入された冷却源を内空間に保持する内側冷却源容器と、
前記内側冷却源容器を真空断熱する外側冷却源容器と、
前記外側冷却源容器の一部に形成された真空排気口に取り付けられ、前記密閉空間の真空状態を保持する真空保持キャップと
を有する冷却源容器。
【請求項９】
請求項８に記載の冷却源容器において、
前記内側冷却源容器は、冷却源を導入するための専用の開口を、前記第２の熱伝導部材の一端側を差し込む開口とは別に有する
ことを特徴とする冷却源容器。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
複数の結像光学系と、前記複数の結像光学系が形成した光学像を光電変換する少なくとも一つの撮像素子とを有し、
前記複数の結像光学系は、互いに異なる焦点距離を有する結像光学系を含み、
各結像光学系は、フォーカシングの際に移動するフォーカスレンズユニットと、フォーカシングのためには移動しない固定レンズユニットを有し、各フォーカスレンズユニットは各結像光学系の最も物体側に配置されており、互いに異なる焦点距離を有する結像光学系のフォーカスレンズユニットに含まれるフォーカスレンズは互いに異なる面形状を有し、
以下の条件式を満たすことを特徴とする撮像装置。
０．８＜｜ｆｆｉ／ｆｆｈ｜＜１．２
｜（ΔＯｆ＋Δｆ）／ｆｔ｜＜２．１
ただし、
Δｆ＝ｆｆｉ−ｆｆｈ
ΔＯｆ＝Ｏｆｉ−Ｏｆｈ
ｆｔは前記複数の結像光学系の焦点距離のうち最も長い焦点距離、ｆｆｈは前記複数の結像光学系のうち任意の結像光学系ｈのフォーカスレンズユニットの焦点距離、ｆｆｉは前記複数の結像光学系のうち任意の結像光学系ｉのフォーカスレンズユニットの焦点距離、Ｏｆｈは前記結像光学系ｈのフォーカスレンズユニットの前側主点位置から像面までの距離、Ｏｆｉは前記結像光学系ｉのフォーカスレンズユニットの前側主点位置から像面までの距離である。
【請求項２】
前記複数の結像光学系は、互いに等しい焦点距離を有する結像光学系を有することを特徴とする請求項１に記載の撮像装置。
【請求項３】
前記複数の結像光学系は、前記フォーカスレンズユニットが負の屈折力を有する結像光学系と前記フォーカスレンズユニットが正の屈折力を有する結像光学系を含み、
前記負の屈折力を有するフォーカスレンズユニットの前側主点位置から像面までの距離をＯｆｎ、前記正の屈折力を有するフォーカスレンズユニットの前側主点位置から像面までの距離をＯｆｐとすると、以下の条件式を満たすことを特徴とする請求項１または２に記載の撮像装置。
１．０＜Ｏｆｎ／Ｏｆｐ＜２．４
【請求項４】
複数のフォーカスレンズユニットを一体で保持する保持部を更に有し、
以下の条件式を満足することを特徴とする請求項１乃至３のうちいずれか１項に記載の撮像装置。
０．５＜｜ｆｆｉ／ｆｔ｜＜１.６
【請求項５】
前記複数のフォーカスレンズユニットは、それぞれの光軸に垂直な方向に隣接する少なくとも一つのフォーカスレンズが同一の材料で構成されていることを特徴とする請求項１乃至４のうちいずれか１項に記載の撮像装置。
【請求項６】
前記複数の結像光学系のうち、最も焦点距離の短い結像光学系のフォーカスレンズユニットは負の屈折力を有し、最も焦点距離の長い結像光学系のフォーカスレンズユニットは正の屈折力を有することを特徴とする請求項１乃至５のうちいずれか１項に記載の撮像装置。
【請求項７】
複数の結像光学系を有し、撮像装置本体に着脱可能に装着されるレンズ装置であって、前記撮像装置本体は、前記複数の結像光学系が形成した光学像を光電変換する少なくとも一つの撮像素子を有し、
前記複数の結像光学系は、互いに異なる焦点距離を有する結像光学系を含み、
各結像光学系は、フォーカシングの際に移動するフォーカスレンズユニットと、フォーカシングのためには移動しない固定レンズユニットを有し、各フォーカスレンズユニットは各結像光学系の最も物体側に配置されており、互いに異なる焦点距離を有する結像光学系のフォーカスレンズユニットに含まれるフォーカスレンズは互いに異なる面形状を有し、
以下の条件式を満たすことを特徴とするレンズ装置。
０．８＜｜ｆｆｉ／ｆｆｈ｜＜１．２
｜（ΔＯｆ＋Δｆ）／ｆｔ｜＜２．１
ただし、
Δｆ＝ｆｆｉ−ｆｆｈ
ΔＯｆ＝Ｏｆｉ−Ｏｆｈ
ｆｔは前記複数の結像光学系の焦点距離のうち最も長い焦点距離、ｆｆｈは前記複数の結像光学系のうち任意の結像光学系ｈのフォーカスレンズユニットの焦点距離、ｆｆｉは前記複数の結像光学系のうち任意の結像光学系ｉのフォーカスレンズユニットの焦点距離、Ｏｆｈは前記結像光学系ｈのフォーカスレンズユニットの前側主点位置から像面までの距離、Ｏｆｉは前記結像光学系ｉのフォーカスレンズユニットの前側主点位置から像面までの距離である。
【手続補正２】
【補正対象書類名】明細書
【補正対象項目名】０００６
【補正方法】変更
【補正の内容】
【０００６】
本発明の撮像装置は、複数の結像光学系と、前記複数の結像光学系が形成した光学像を光電変換する少なくとも一つの撮像素子とを有し、前記複数の結像光学系は、互いに異なる焦点距離を有する結像光学系を含み、各結像光学系は、フォーカシングの際に移動するフォーカスレンズユニットと、フォーカシングのためには移動しない固定レンズユニットを有し、各フォーカスレンズユニットは各結像光学系の最も物体側に配置されており、互いに異なる焦点距離を有する結像光学系のフォーカスレンズユニットに含まれるフォーカスレンズは互いに異なる面形状を有し、以下の条件式を満たすことを特徴とする。
０．８＜｜ｆｆｉ／ｆｆｈ｜＜１．２
｜（ΔＯｆ＋Δｆ）／ｆｔ｜＜２．１
ただし、
Δｆ＝ｆｆｉ−ｆｆｈ
ΔＯｆ＝Ｏｆｉ−Ｏｆｈ
ｆｔは前記複数の結像光学系の焦点距離のうち最も長い焦点距離、ｆｆｈは前記複数の結像光学系のうち任意の結像光学系ｈのフォーカスレンズユニットの焦点距離、ｆｆｉは前記複数の結像光学系のうち任意の結像光学系ｉのフォーカスレンズユニットの焦点距離、Ｏｆｈは前記結像光学系ｈのフォーカスレンズユニットの前側主点位置から像面までの距離、Ｏｆｉは前記結像光学系ｉのフォーカスレンズユニットの前側主点位置から像面までの距離である。